(57)【特許請求の範囲】
【請求項１】
目標とする湿度が複数で所定間隔に設定された設定湿度から、目標とする湿度を設定する湿度設定手段と、現在の湿度を検知する湿度検出手段と、前記湿度設定手段にて設定された目標湿度と湿度検出手段にて検知された現在湿度との差に応じて室内への加湿量を変化する自動運転モードと、複数の運転モードを切換えるモード切換手段と、動作の制御を行う制御部とを備えた加湿器に於いて、前記湿度設定手段の設定湿度に関係なく強制的に加湿を行う連続加湿運転モードを設け、連続加湿運転中または自動運転中の押圧によって現在湿度を記憶すると共に、この記憶された現在湿度を目標湿度として運転を継続するメモリスイッチを設けたことを特徴とする加湿器。
【発明の詳細な説明】
【技術分野】
【０００１】
この発明は、室内の湿度に応じて加湿制御を行う加湿器の湿度制御に関するものである。
【背景技術】
【０００２】
従来の加湿器を図面に従って説明する。図４は従来の加湿器の構成ブロック図である。図において、加湿器の運転を入り切りする運転スイッチＡと、目標とする湿度を設定する湿度設定手段Ｂと、複数の運転モードを切換えるモード切換手段Ｃと、運転停止や開始の時間を設定するタイマー手段Ｄとで操作部が構成されている。これら四つの手段はそれぞれ一つのスイッチで形成されている。
【０００３】
前記湿度設定手段Ｂは４０％、５０％、６０％の三段階の湿度の設定が可能であり、モード切換手段Ｃは自動、強、弱の三つの運転モードの切換が可能である。
【０００４】
Ｅは湿度検出手段で、室内の現在湿度を検出し、表示手段Ｆは湿度検出手段Ｅで検出する現在湿度と湿度設定手段Ｂで設定される設定湿度を表示し、加湿手段Ｇは室内を加湿する。制御部Ｈはマイクロコンピュータ等で形成され、前記全手段の動作を制御する。尚、制御部Ｈは、その内部に、運転モードの初期値として自動のモードを記憶し、設定湿度の初期値として５０％を記憶している。
【０００５】
以上の構成において、全体の動作を説明する。加湿器に電源（図示せず）が供給され、運転スイッチＡが押されると、運転信号が運転スイッチＡから制御部Ｈに入力される。運転信号が入力されると、制御部Ｈは運転モードを初期値として記憶している自動とし、設定湿度を初期値として記憶している５０％とし、湿度検出手段Ｅで検出した現在湿度を表示手段Ｆに点灯表示する、と共に現在湿度と設定湿度との差を算出し、その差により加湿手段Ｇを動作させるか否かを決定する。
【０００６】
以後、制御部Ｈは湿度検出手段Ｅで現在湿度を逐次検出し、現在湿度と設定湿度が同じになるように加湿手段Ｇを制御する。つまり、制御部Ｈは現在湿度が設定湿度より低い時には加湿手段Ｇを動作させて室内を加湿し、現在湿度が設定湿度以上に高くなった時には加湿手段Ｇの動作を停止する。
【０００７】
前記動作中において、設定湿度を変更する場合は、湿度設定手段Ｂを押す操作を行う。湿度設定手段Ｂを一回押す毎に表示手段Ｆに表示される設定湿度の表示が５０％→６０％→４０％→５０％…と変化し、この変化が繰り返されるので、希望の湿度になったところで操作を停止する。
【０００８】
また、動作中において、運転モードを切換える場合は、モード切換手段Ｃを押す操作を行う。モード切換手段Ｃを一回押す毎に運転モードが自動→強→弱→自動…と変化し、この変化が繰り返されるので、希望の運転モードになったところで操作を停止する。（例えば、特許文献１参照）
【特許文献１】特開２００２−８１７１７号公報
【発明の開示】
【発明が解決しようとする課題】
【０００９】
しかしながら、この従来例の加湿器は目標湿度が４０％、５０％、６０％等の予め設定されている湿度のみしか自動運転することができないので、使用者の希望するきめ細かな目標湿度の設定ができないために使用者に充分な満足感を与えることができなかった。
【課題を解決するための手段】
【００１０】
この発明はこの点に着目し、上記欠点を解決する為、特にその構成を、目標とする湿度が複数で所定間隔に設定された設定湿度から、目標とする湿度を設定する湿度設定手段と、現在の湿度を検知する湿度検出手段と、前記湿度設定手段にて設定された目標湿度と湿度検出手段にて検知された現在湿度との差に応じて室内への加湿量を変化する自動運転モードと、複数の運転モードを切換えるモード切換手段と、動作の制御を行う制御部とを備えた加湿器に於いて、前記湿度設定手段の設定湿度に関係なく強制的に加湿を行う連続加湿運転モードを設け、連続加湿運転中または自動運転中の押圧によって現在湿度を記憶すると共に、この記憶された現在湿度を目標湿度として運転を継続するメモリスイッチを設けたものである。
【発明の効果】
【００１１】
この発明によれば、使用者の好みによって、使用者が最も快適な湿度と感じた時にメモリスイッチを押圧するだけで、その時の現在湿度を記憶すると共に、この現在湿度を自動運転モードの目標湿度に設定することで、この現在湿度を目標湿度として運転を継続し、次回以降の運転の際には読み出して目標湿度に設定できるので、簡単に使用者の好み合った湿度での加湿器の運転ができ、使用者の希望するきめ細かな目標湿度の設定ができるものである。
【発明を実施するための最良の形態】
【００１２】
次に、この発明に係る加湿器を図面に示された一実施例で説明する。１は運転スイッチで、一つのスイッチで形成され、加湿器の運転を押圧により入り切りする。
【００１３】
２は一つのスイッチで形成され、目標とする湿度を押圧回数に応じて、４０％、５０％、６０％の三段階の湿度の設定する湿度設定手段である。
３は複数の運転モードを切換えるモード切換手段で、押圧回数に応じて自動運転モード、強での連続加湿運転モード、弱での連続加湿運転モードの三つの運転モードの切換が可能である。
【００１４】
４はタイマー手段で、一つのスイッチで形成され、ある任意の時間例えば２時間または４時間後等任意の時間に、運転の開始や運転の停止をする機能。５は湿度検出手段で、室内の現在湿度を湿度センサにて検出する。
６はメモリスイッチで、連続加湿運転中または自動運転中の押圧によって現在湿度を記憶すると共に、この現在湿度を自動運転モードの目標湿度に設定するものである。
【００１５】
７は送風ファンやヒータから成る加湿手段で、室内を加湿する。８は表示手段で、湿度検出手段５で検出する現在湿度と湿度設定手段２で設定される設定湿度を表示する。現在湿度の表示は乾燥、４０％、５０％、６０％、多湿の何れかが点灯表示される。
【００１６】
９は制御部で、マイクロコンピュータ等で形成され、全ての動作を制御する。制御部９は、その内部に、運転モード等の設定値やメモリスイッチ押圧時の目標湿度を記憶する記憶装置１０を備えている。
【００１７】
以上の構成において、全体の動作を説明する。
加湿器に電源（図示せず）が供給され、運転スイッチ１が押されると、運転信号が運転スイッチ１から制御部９に入力される。運転信号が入力されると、制御部９は運転モードを初期値として記憶している自動とし、設定湿度を初期値として記憶している５０％とし、湿度検出手段５で検出した現在湿度を表示手段８に点灯表示する、と共に現在湿度と設定湿度との差を算出し、その差により加湿手段７を動作させるか否かを決定する。
【００１８】
以後、制御部９は湿度検出手段５で現在湿度を逐次検出し、現在湿度と設定湿度が同じになるように加湿手段７を制御する。つまり、制御部９は現在湿度が設定湿度より低い時には加湿手段７を動作させて室内を加湿し、現在湿度が設定湿度以上に高くなった時には加湿手段７の動作を停止する。但し、運転モードが強または弱の場合には、制御部９は湿度検出手段５の検出する現在湿度や設定湿度には無関係に加湿手段７を動作させる。
【００１９】
前記動作中に於いて、設定湿度を変更する場合は、湿度設定手段２を押す操作を行う。湿度設定手段２を一回押す毎に表示手段８に表示される設定湿度の表示が５０％→６０％→４０％→５０％…と変化し、この変化が繰り返されるので、希望の湿度になったところで操作を停止する。
【００２０】
また、動作中に於いて、運転モードを切換える場合は、モード切換手段３を押す操作を行う。モード切換手段３を一回押す毎に運転モードが自動運転モード→強の連続加湿運転モード→弱の連続加湿運転モード→自動運転モード…と変化し、この変化が繰り返されるので、希望の運転モードになったところで操作を停止する。
【００２１】
図２のフローチャートについて説明すれば、ｓｔ１にて運転スイッチ１を押圧すれば、加湿手段７にて加湿運転を開始する。次に、ｓｔ２にて運転モードと運転湿度を選択する、ｓｔ３にて現在湿度をランプ等の表示手段８に表示を行う。次に、ｓｔ４にて連続加湿運転中または自動運転での目標湿度を変更して現在湿度が変化している状態で、使用者が現在湿度を快適な湿度であると感じた時にメモりスイッチ６を押圧すれば、ｓｔ５にて制御部９に備えた記憶装置１０に、その時の湿度を記憶する。そして、ｓｔ６にて、この現在湿度を自動運転モードの目標湿度に設定して、自動運転モードにて運転を続けるものである。
【００２２】
運転停止時の再運転の作動について図３のフローチャートで説明すれば、運転停止時にメモリスイッチ６を押圧すれば、記憶装置１０に記憶されている使用者が好む目標湿度を読み出して、加湿手段７を作動して自動運転を開始する。（ｓｔ７）
次に、ｓｔ８にて現在湿度をランプ等の表示手段８に表示を行う。ｓｔ９にて使用者が好む目標湿度到達後もこの目標湿度で自動運転を続ける。（ｓｔ１０）
【００２３】
このように、使用者の好みによって、使用者が最も快適な湿度と感じた時にメモりスイッチを押圧するだけで、その時の湿度を記憶して、次回以降の運転の際に読み出して目標湿度に設定できるので、簡単に使用者の好み合った湿度での加湿器の運転ができるものである。
【図面の簡単な説明】
【００２４】
【図１】この発明一実施例のブロック図。
【図２】同フローチャート。
【図３】同フローチャート。
【図４】従来例のブロック図。
【符号の説明】
【００２５】
２  湿度設定手段
３  モード切換手段
５  湿度検出手段
６  メモリスイッチ
７  加湿手段
９  制御部
【図１】
0004796862.tif 000002
【図２】
0004796862.tif 000003
【図３】
0004796862.tif 000004
【図４】
0004796862.tif 000005